(57)【特許請求の範囲】
【請求項１】
前面に開口部を有する収納キャビネットと、リンク機構からなる昇降支持装置を介して前面開口部から前記収納キャビネットに出入され、かつ円弧状に昇降動作されるラック体と、前記収納キャビネットの前面開口部下方を開閉するようにラック体に設けられた板体と、この前面開口部にあって前記板体による開閉部位より上方部位を開閉する扉体とを具備し、前記板体からは、ラック体収納状態で収納キャビネットの下端よりもさらに下位に位置する把手を前面へ突設した昇降式収納装置。
【請求項２】
把手を斜め前方へ突設した請求項１記載の昇降式収納装置。
【請求項３】
板体の幅を収納キャビネットの前面開口部の横幅よりも大きくした請求項１記載の昇降式収納装置。
【請求項４】
扉体とラック体を連動機構を介して連動させた請求項１記載の昇降式収納装置。
【発明の詳細な説明】
【０００１】
【発明の属する技術分野】
本発明は、高所等への収納物の出し入れを容易にする昇降式収納装置に関するものである。
【０００２】
【従来の技術】
従来この種の昇降式収納装置は、特開平７−１４８０３１号公報に記載されているようなものが一般的であった。この装置は図３、図４に示されているように、左右に開閉自在の扉１，２の付いたキャビネット３に昇降支持装置４を装着し、昇降支持装置４によってラック体５が出し入れ昇降できるように構成されており、使用時は、この扉１，２を開いた後にラック体５の把手６を手前に引き、ラック体５を引出し降下を行い、収納時は、ラック体５の把手６を上方奥に押上げてキャビネット３に収納した後に扉１，２を閉じるようになっていた。
【０００３】
【発明が解決しようとする課題】
しかしながら、上記従来の昇降式収納装置では、ラック体５の把手６がキャビネット３の中にあり、キャビネット３の上端が床から２．４メートルの通常高さに取り付けられている場合でも、身長が１５０センチメートル以下の人は把手６に手が届きにくく、せっかくラック体５が昇降できる収納装置であるのに使用できなかったり、ラック体５の出し入れ作業がやりにくいという課題を有していた。
【０００４】
【課題を解決するための手段】
本発明は上記課題を解決するために、前面に開口部を有する収納キャビネットと、リンク機構からなる昇降支持装置を介して前面開口部から前記収納キャビネットに出入され、かつ円弧状に昇降動作されるラック体と、前記収納キャビネットの前面開口部下方を開閉するようにラック体に設けられた板体と、この前面開口部にあって前記板体による開閉部位より上方部位を開閉する扉体とを具備し、前記板体からは、ラック体収納状態で収納キャビネットの下端よりもさらに下位に位置する把手を前面へ突設したものである。
【０００５】
したがって、収納キャビネットの下端よりも低いところに把手が位置することとなり、身長が低い人でも把手に十分手が届き、ラック体の出し入れがしやすくなり、その結果、背丈が低い人も高所収納の出し入れ作業を楽にすることができる。
【０００６】
【発明の実施の形態】
本発明の昇降式収納装置は、前面に開口部を有する収納キャビネットと、リンク機構からなる昇降支持装置を介して前面開口部から前記収納キャビネットに出入され、かつ円弧状に昇降動作されるラック体と、前記収納キャビネットの前面開口部下方を開閉するようにラック体に設けられた板体と、この前面開口部にあって前記板体による開閉部位より上方部位を開閉する扉体とを具備し、前記板体からは、ラック体収納状態で収納キャビネットの下端よりもさらに下位に位置する把手を前面へ突設したものである。
【０００７】
したがって、収納キャビネットの下端よりも低いところに把手が位置することとなり、身長が低い人でも把手に十分手が届くこととなる。
【０００８】
具体的には、把手を斜め前方へ突設することが考えられる。
【０００９】
そして、板体の幅を収納キャビネットの前面開口部の横幅よりも大きく設定しておけばラック体の収納変位時のストッパーとしても利用できる。
【００１０】
また、扉体とラック体を連動機構を介して連動させておけば、操作的には一動作ですみ、使い勝手が向上する。
【００１１】
【実施例】
以下、本発明の実施例について図面を用いて説明する。
【００１２】
（実施例１）
図１は本発明の実施例１の昇降式収納装置のラック体を降下した状態における斜視図、図２は同じ昇降式収納装置の側断面図である。
【００１３】
図１および図２において、１１は台所等の壁面高所に設置された収納キャビネットで、この収納キャビネット１１の庫内両側面には、平行リンクアーム１２，１３と、この平行リンクアーム１２，１３を支持する筐体１４，１５からなる昇降支持装置１６が設置されている。そしてこの昇降支持装置１６の筐体１４，１５内には、後述するラック体１８の昇降出し入れを助成する付勢手段等の駆動手段（図示せず）が設けてある。
【００１４】
平行リンクアーム１２，１３の遊端部には、収納物を収納するラック体１８が連結されている。ラック体１８の前面下部には、収納キャビネット１１の開口部１９に当接する板体２０を介して把手２１が一体的に固定されている。
２２は扉体で、収納キャビネット１１上辺に開閉自在に取付けられ、扉体２２の裏にはレール２３，２４が固定されている。
【００１５】
扉体２２とラック体１８は、レール２３，２４に摺動自在に設けたスライダー２５，２６（連動機構）によって連結されている。
【００１６】
なお図２において、実線のラック体１８は収納キャビネット１１に収納された状態で、２点鎖線のラック体１８は収納キャビネット１１から、引き出し降下した状態を示したものである。
【００１７】
また、平行リンクアーム１２および平行リンクアーム１３と、ラック体１８との連結枢支点２８，２９は図２に一点鎖線で示す如く円弧状に回動し、把手２１を持ってラック体１８を引き出し降下させる操作をし、その降下位置で収納物を出し入れし、また把手２１を持ってラック体１８を上昇させ収納キャビネット１１内へ格納を行う構成のものである。
【００１８】
次に動作、作用について説明する。把手２１を持って手前に引くと、収納キャビネット１１に設置された昇降支持装置１６，１７平行リンクアーム１２，１３が回動し、ラック体１８が降下する。
【００１９】
ラック体１８に回動自在に設けられたスライダー２５，２６がその枢支部２７を中心に回動してラック体１８の降下とともにスライダー２５，２６その扉体２２のがレール２３，２４を摺動しながら扉体２２を上方へ押し上げて開成させる。
【００２０】
また、収納時は把手２１を持って上方に押し上げると、昇降支持装置１６，１７の平行リンクアーム１２，１３が上昇方向に回動するとともにスライダー２５，２６がレール２３，２４を摺動しながら扉体２２を閉成させる。この時筐体１４，１５内に設けてある駆動手段の付勢力でラック体１８は軽く上昇させることができる。
【００２１】
また、昇降式収納装置は、収納キャビネット１１と、この収納キャビネット１１に設けたラック体１８と、ラック体１８を昇降自在に支持する昇降支持装置１６，１７と、ラック体１８が収納キャビネット１１に収まっている時、収納キャビネット１１の下端３０よりも低い位置に把手２１を備えているため、身長が低い人でも把手２１に十分手が届き、ラック体１８の出し入れをしやすくでき、高所収納の出し入れ作業を楽にすることができる。
【００２２】
また、昇降式収納装置は、把手２１を、収納キャビネット１１の開口部１９に当接する板体２０を介して収納ラック１８と一体的に形成してあり、ラック体１８を収納キャビネット１１に収納した状態において、板体２０によって収納キャビネット１１の開口部１９を塞ぐことができるため、収納キャビネット１１内に虫や埃や塵などが侵入するのを防止することができるとともに、ラック体１８の動作位置を規制するストッパーを兼ねることができるため、他の動作位置規制部材を不要にすることもできる。
【００２３】
また、昇降式収納装置は、収納キャビネット１１の下端３０よりも低く前面３１より手前位置に把手２１を備えているので、さらに把手２１の位置が手前で両手が届きやすい所になるため、小学生の子供や腰が曲がったお年寄りにも使いやすくすることができる。
【００２４】
また、昇降式収納装置は、収納キャビネット１１に扉体２２を設け、この扉体２２とラック体１８を連動させ、ラック体１８の収納キャビネット１１からの出し入れ昇降によって扉体２２を開閉する連動機構２５，２６を有しており、掴みやすい位置の把手２１による収納ラック１８の昇降動作に連動しておのずと扉体２２を開閉することができるので、扉体２２の開閉操作が不要となり、ラック体１８の降下および上昇格納を一動作で行うことができ、収納物の出し入れ作業が効率的にできる。
【００２５】
また、昇降式収納装置は、ラック体１８の上昇または下降を助成する駆動手段を設けた構成により、力の弱い高齢者や小学生の子供でも容易に利用できる。
【００２６】
また、昇降式収納装置は、ラック体１８の昇降動作を駆動する電動駆動手段を有する構成により、従来困難であった重量物の高所への収納を容易にできる。
【００２７】
また、昇降式収納装置は、電動駆動手段のスイッチ等の操作部３２を収納キャビネット１８の下端３０よりも低い位置の把手２１に備えた構成により、把手２１および電動駆動手段の操作部３２が最も手が届きやすく、かつ見やすい同じ位置にあることによって、駆動の入切操作が把手２１を握ったまま素早く容易にできるため、使用時の高い安心感を得ることができる。
【００２８】
以上説明した実施例の特長をまとめれば、次の通りである。
【００２９】
（１）収納キャビネットと、この収納キャビネットに設けたラック体と、前記ラック体を昇降自在に支持する昇降支持装置と、前記ラック体が前記収納キャビネットに収まっている時、前記収納キャビネットの下端よりも低い位置に把手を備えているため、身長が低い人でも把手に十分手が届き、ラック体の出し入れをしやすくでき高所収納の出し入れ作業を楽にすることができる。
【００３０】
（２）把手を、収納キャビネットの開口部に当接する板体を介して収納ラックと一体的に形成してあり、ラック体を収納キャビネットに収納した状態において、前記板体によって収納キャビネットの開口部を塞ぐことができるため、収納キャビネット内に虫や埃や塵などが侵入するのを防止することができる。
【００３１】
（３）収納キャビネットの下端よりも低く前面より手前位置に把手を備えているので、さらに把手の位置が手前で両手が届きやすい所になるため、小学生の子供や腰が曲がったお年寄りにも使いやすくすることができる。
【００３２】
（４）収納キャビネットに扉体を設け、この扉体とラック体を連動させ、前記ラック体の前記収納キャビネットからの出し入れ昇降によって前記扉体を開閉する連動機構を有しており、掴みやすい位置の把手による収納ラックの昇降動作に連動しておのずと扉体を開閉することができるので、扉体の開閉操作が不要となり、収納ラックの降下および上昇格納を一動作で行うことができ、収納物の出し入れ作業が効率的にできる。
【００３３】
（５）ラック体の上昇または下降を助成する駆動手段を設けた構成により、力の弱い高齢者や小学生の子供でも容易に利用できる。
【００３４】
（６）収納ラックの昇降動作を駆動する電動駆動手段を有する構成により、従来困難であった重量物の高所への収納を容易にできる。
【００３５】
（７）電動駆動手段のスイッチ等の操作部を収納キャビネットの下端よりも低い位置の把手に備えた構成により、把手および電動駆動手段の操作部が最も手が届きやすく、かつ
見やすい同じ位置にあることによって、駆動の入切操作が把手を握ったまま素早く容易にできるため、使用時の高い安心感を得ることができる。
【００３６】
【発明の効果】
以上のように本発明によれば、使用者の身体条件が異なっていてもラック体の昇降異動が確実に行え、大いにその使い勝手を高めることができるものである。
【図面の簡単な説明】
【図１】  本発明の実施例１の昇降式収納装置の斜視図
【図２】  同昇降式収納装置の側断面図
【図３】  従来の昇降式収納装置における外観斜視図
【図４】  同昇降式収納装置の側断面図
【符号の説明】
１１  収納キャビネット
１６  昇降支持装置
１７  昇降支持装置
１８  ラック体
１９  開口部
２０  板体
２１  把手
２２  扉体
２５  連動手段
２６  連動手段
３０  下端
３１  前面
３２  操作部
【図１】
0004115602.tif 000002
【図２】
0004115602.tif 000003
【図３】
0004115602.tif 000004
【図４】
0004115602.tif 000005